(57)【要約】【課題】漏れ磁束による外部素子への影響を抑えつつ、ノーマルモード成分も小さくできるコモンモードチョークコイルを提供すること。【解決手段】コモンモードチョークコイル１０は、コア２０と、２つのコイル３０と、２つの導体カバー４０とを備えている。コア２０の表面２２は、コアの内周に位置する内周面２２８を含んでいる。表面２２は、コイル３０が夫々巻回された２つの巻回領域２４と、コイル３０のいずれも巻回されていない２つの非巻回領域２６とに分かれている。巻回領域２４と非巻回領域２６とは、交互に並んでいる。非巻回領域２６の夫々における中間部２６２は、内周面２２８を除き、導体カバー４０のいずれかによって完全に覆われている。内周面２２８には、導体カバー４０のいずれにも覆われていない開放領域２３０が形成されている。開放領域２３０は、コア２０の閉磁路ＣＭＰに沿って内周面２２８全体に亘って延びている。【選択図】図１
2018198270.tif 000002
【特許請求の範囲】
【請求項１】
コアと、２つのコイルと、２つの導体カバーとを備えるコモンモードチョークコイルであって、
前記コアは、前記コアを上下方向に貫通する中心孔を有しており、且つ、前記上下方向と直交する直交平面において閉磁路を構成しており、
前記コアの表面は、前記直交平面において前記コアの内周に位置する内周面を含んでおり、
前記表面は、前記コイルが夫々巻回された２つの巻回領域と、前記コイルのいずれも巻回されていない２つの非巻回領域とに分かれており、
前記巻回領域と前記非巻回領域とは、前記閉磁路に沿って交互に並んでおり、
前記導体カバーの夫々は、前記表面に取り付けられており、
前記非巻回領域の夫々において、前記閉磁路に沿って中間に位置する中間部は、前記内周面を除き、前記導体カバーのいずれかによって完全に覆われており、
前記内周面には、前記導体カバーのいずれにも覆われていない開放領域が形成されており、
前記開放領域は、前記閉磁路に沿って前記内周面全体に亘って延びている
コモンモードチョークコイル。
【請求項２】
請求項１記載のコモンモードチョークコイルであって、
前記表面は、前記上下方向における上面及び下面と、前記直交平面において前記コアの外周に位置する外周面とを含んでおり、
前記中間部の夫々における前記上面、前記下面及び前記外周面は、前記導体カバーのいずれかによって完全に覆われている
コモンモードチョークコイル。
【請求項３】
請求項１又は請求項２記載のコモンモードチョークコイルであって、
前記内周面全体が、前記開放領域である
コモンモードチョークコイル。
【請求項４】
請求項１から請求項３までのいずれかに記載のコモンモードチョークコイルであって、
前記巻回領域は、前記導体カバーのいずれにも覆われていない
コモンモードチョークコイル。
【請求項５】
請求項１から請求項４までのいずれかに記載のコモンモードチョークコイルであって、
絶縁ケースを備えており、
前記絶縁ケースは、前記導体カバーが取り付けられた前記コア全体を覆っており、且つ、前記導体カバーを前記表面に対して位置決めしており、
前記コイルは、前記絶縁ケースの上から前記巻回領域に夫々巻回されている
コモンモードチョークコイル。
【請求項６】
請求項１から請求項５までのいずれかに記載のコモンモードチョークコイルであって、
前記導体カバーは、前記上下方向における前記表面の上下に夫々取り付けられている
コモンモードチョークコイル。
【発明の詳細な説明】
【技術分野】
【０００１】
本発明は、コアと２つのコイルとを備えるコモンモードチョークコイルに関する。
【背景技術】
【０００２】
特許文献１には、このタイプの磁性デバイス（コモンモードチョークコイル）が開示されている。
【０００３】
特許文献１に開示された磁性デバイスは、磁性コア（コア）と、２つの巻線（コイル）と、２つの付加磁性片とを備えている。付加磁性片は、コイルが巻回されたコアの上下に夫々取り付けられている。磁性デバイスの使用時にコアから磁束が漏れたとしても、漏れ磁束は付加磁性片に流れる。この結果、磁性デバイスからの漏れ磁束による外部素子への影響が抑制できる。
【先行技術文献】
【特許文献】
【０００４】
【特許文献１】特開平５−２９９２５３号公報
【発明の概要】
【発明が解決しようとする課題】
【０００５】
特許文献１の付加磁性片を設けた場合、漏れ磁束による外部素子への影響を抑えることができる一方、コアと付加磁性片とが構成する磁路により、インダクタンスのノーマルモード成分が大きくなる。ノーマルモード成分が大きくなると、コアが磁気飽和し易くなる。
【０００６】
そこで、本発明は、漏れ磁束による外部素子への影響を抑えつつ、ノーマルモード成分も小さくできるコモンモードチョークコイルを提供することを目的とする。
【課題を解決するための手段】
【０００７】
本発明によれば、第１のコモンモードチョークコイルとして、
コアと、２つのコイルと、２つの導体カバーとを備えるコモンモードチョークコイルであって、
前記コアは、前記コアを上下方向に貫通する中心孔を有しており、且つ、前記上下方向と直交する直交平面において閉磁路を構成しており、
前記コアの表面は、前記直交平面において前記コアの内周に位置する内周面を含んでおり、
前記表面は、前記コイルが夫々巻回された２つの巻回領域と、前記コイルのいずれも巻回されていない２つの非巻回領域とに分かれており、
前記巻回領域と前記非巻回領域とは、前記閉磁路に沿って交互に並んでおり、
前記導体カバーの夫々は、前記表面に取り付けられており、
前記非巻回領域の夫々において、前記閉磁路に沿って中間に位置する中間部は、前記内周面を除き、前記導体カバーのいずれかによって完全に覆われており、
前記内周面には、前記導体カバーのいずれにも覆われていない開放領域が形成されており、
前記開放領域は、前記閉磁路に沿って前記内周面全体に亘って延びている
コモンモードチョークコイルが得られる。
【０００８】
また、本発明によれば、第２のコモンモードチョークコイルとして、第１のコモンモードチョークコイルであって、
前記表面は、前記上下方向における上面及び下面と、前記直交平面において前記コアの外周に位置する外周面とを含んでおり、
前記中間部の夫々における前記上面、前記下面及び前記外周面は、前記導体カバーのいずれかによって完全に覆われている
コモンモードチョークコイルが得られる。
【０００９】
また、本発明によれば、第３のコモンモードチョークコイルとして、第１又は第２のコモンモードチョークコイルであって、
前記内周面全体が、前記開放領域である
コモンモードチョークコイルが得られる。
【００１０】
また、本発明によれば、第４のコモンモードチョークコイルとして、第１から第３までのいずれかのコモンモードチョークコイルであって、
前記巻回領域は、前記導体カバーのいずれにも覆われていない
コモンモードチョークコイルが得られる。
【００１１】
また、本発明によれば、第５のコモンモードチョークコイルとして、第１から第４までのいずれかのコモンモードチョークコイルであって、
絶縁ケースを備えており、
前記絶縁ケースは、前記導体カバーが取り付けられた前記コア全体を覆っており、且つ、前記導体カバーを前記表面に対して位置決めしており、
前記コイルは、前記絶縁ケースの上から前記巻回領域に夫々巻回されている
コモンモードチョークコイルが得られる。
【００１２】
また、本発明によれば、第６のコモンモードチョークコイルとして、第１から第５までのいずれかのコモンモードチョークコイルであって、
前記導体カバーは、前記上下方向における前記表面の上下に夫々取り付けられている
コモンモードチョークコイルが得られる。
【発明の効果】
【００１３】
本発明のコモンモードチョークコイルにおいて、非巻回領域の中間部は、漏れ磁束が最も生じやすい部位である。本発明によれば、少なくとも中間部は、内周面を除き、導体カバーのいずれかによって完全に覆われている。内周面には、導体カバーのいずれにも覆われていない開放領域が形成されており、開放領域は、閉磁路に沿って内周面全体に亘って延びている。この構造により、漏れ磁束による外部素子への影響を抑えることができる。更に、コアの表面が磁性体ではなく導体カバーで覆われているため、漏れ磁束の量の増大を防止でき、これによりノーマルモード成分を小さく保てる。
【図面の簡単な説明】
【００１４】
【図１】本発明の実施の形態によるコモンモードチョークコイルを示す斜視図である。コイルの位置を破線で描画している。コアの閉磁路を１点鎖線で模式的に描画している。
【図２】図１のコモンモードチョークコイルのコア及び導電カバーを示す斜視図である。導電カバーのうちの１つは、コアに取り付けられており、導電カバーのうちの他の１つは、コアから外れている。コアの取付領域の境界を破線で描画している。コアの非巻回領域の中間部の位置を１点鎖線で描画している。
【図３】図１のコモンモードチョークコイルを半分に切り欠いて示す斜視図である。コイルの位置を破線で描画している。コアの閉磁路を１点鎖線で模式的に描画している。
【図４】図１のコモンモードチョークコイルの使用時に生じる磁束を、コアの閉磁路と共に模式的に示す上面図である。コアの輪郭及びコアにおける巻回領域と非巻回領域との間の境界を破線で描画している。非巻回領域の中間部の位置を１点鎖線で描画している。
【図５】図１のコモンモードチョークコイルの第１変形例を示す斜視図である。コイルの位置を破線で描画している。
【図６】図５のコモンモードチョークコイルを示す分解斜視図である。コイルは描画していない。コアにおける巻回領域と非巻回領域との間の境界を破線で描画している。非巻回領域の中間部の位置を１点鎖線で描画している。２つの取付領域の間の境界を２点鎖線で描画している。
【図７】図１のコモンモードチョークコイルの第２変形例を示す斜視図である。コイルの位置を破線で描画している。
【図８】図７のコモンモードチョークコイルのコアの閉磁路を模式的に示す上面図である。コアの輪郭及びコアにおける巻回領域と非巻回領域との間の境界を破線で描画している。非巻回領域の中間部の位置を１点鎖線で描画している。
【図９】図１のコモンモードチョークコイルの第３変形例を示す斜視図である。絶縁ケースによって隠されたコアの輪郭及び導体カバーの輪郭を破線で描画している。
【図１０】図９のコモンモードチョークコイルを示す分解斜視図である。コイルは描画していない。コアの角柱部の境界を破線で描画している。
【図１１】図１のコモンモードチョークコイルの第４変形例を半分に切り欠いて示す斜視図である。コイルは描画していない。
【図１２】本発明の実施例１のコモンモードチョークコイルを示す上面図である。絶縁ケースによって隠されたコアの輪郭及び導体カバーの輪郭を１点鎖線で描画している。
【図１３】図１２のコモンモードチョークコイルを示す側面図である。絶縁ケースによって隠されたコアの輪郭及び導体カバーの輪郭を１点鎖線で描画している。
【図１４】図１２のコモンモードチョークコイルをＸＩＶ−ＸＩＶ線に沿って示す断面図である。コイルは描画していない。断面の一部（１点鎖線で囲んだ部分）を拡大して描画している。
【図１５】比較例１のコモンモードチョークコイルを示す断面図である。コイルは描画していない。
【図１６】比較例２のコモンモードチョークコイルを示す断面図である。コイルの一部の輪郭を１点鎖線で描画している。
【図１７】比較例３のコモンモードチョークコイルを示す断面図である。コイルは描画していない。断面の一部（１点鎖線で囲んだ部分）を拡大して描画している。
【図１８】実施例１及び比較例１〜３の夫々について、コモンモードチョークコイルに印加した交流電流の周波数とインダクタンスのコモンモード成分との間の関係を示すグラフである。
【図１９】実施例１及び比較例１〜３の夫々について、コモンモードチョークコイルに印加した交流電流の周波数とインダクタンスのノーマルモード成分との間の関係を示すグラフである。
【図２０】実施例１のコモンモードチョークコイルを２つ並べて示す上面図である。
【図２１】実施例１及び比較例１〜３の夫々について、コモンモードチョークコイルに印加した交流電流の周波数と結合係数との間の関係を示す両対数グラフである。
【図２２】本発明の実施例２のコモンモードチョークコイルを示す上面図である。絶縁ケースによって隠されたコアの輪郭及び導体カバーの輪郭を１点鎖線で描画している。
【図２３】図２２のコモンモードチョークコイルを示す側面図である。絶縁ケースによって隠されたコアの輪郭及び導体カバーの輪郭を１点鎖線で描画している。
【図２４】図２２のコモンモードチョークコイルをＸＸＩＶ−ＸＸＩＶ線に沿って示す断面図である。コイルは描画していない。断面の一部（１点鎖線で囲んだ部分）を拡大して描画している。
【図２５】比較例４のコモンモードチョークコイルを示す断面図である。コイルは描画していない。
【図２６】比較例５のコモンモードチョークコイルを示す断面図である。コイルの一部の輪郭を１点鎖線で描画している。
【図２７】実施例２及び比較例４、５の夫々について、コモンモードチョークコイルに印加した交流電流の大きさとインダクタンスのコモンモード成分との間の関係を示すグラフである。
【発明を実施するための形態】
【００１５】
図１を参照すると、本発明の実施の形態によるコモンモードチョークコイル１０は、軟磁性体からなるコア２０と、２つのコイル３０と、導電体からなる２つの導体カバー４０とを備えている。本実施の形態によるコモンモードチョークコイル１０は、電源回路（図示せず）等の大電流回路で使用される。但し、本発明は、これに限られず、例えば通信回路（図示せず）で使用されるコモンモードチョークコイルにも適用可能である。
【００１６】
図１及び図２を参照すると、コア２０は、フェライト、電磁鋼板、ダストコア材、ナノ結晶材等の軟磁性材料からなる。コア２０は、上下方向（Ｚ方向）と直交する直交平面（ＸＹ平面）において、円形状を有しており、且つ、コア２０をＺ方向に貫通する中心孔２０２を有している。中心孔２０２は、ＸＹ平面において、円形状を有している。即ち、コア２０は、トロイダル形状を有しており、ＸＹ平面において閉じた磁路（閉磁路ＣＭＰ）を構成している。図４を参照すると、閉磁路ＣＭＰは、ＸＹ平面において閉じた円を描くようにして、コア２０の円周方向に沿って延びている。
【００１７】
図２及び図３を参照すると、コア２０の表面２２は、Ｚ方向における上面２２２及び下面２２４と、直交平面（ＸＹ平面）においてコア２０の外周に位置する外周面２２６と、ＸＹ平面においてコア２０の内周に位置する内周面２２８とを含んでいる。上面２２２及び下面２２４の夫々は、ＸＹ平面と平行な平面である。外周面２２６は、ＸＹ平面においてコア２０を囲む曲面である。内周面２２８は、ＸＹ平面において中心孔２０２を囲む曲面である。コア２０には、ギャップが形成されておらず、外周面２２６及び内周面２２８の夫々は、ＸＹ平面において閉じている。
【００１８】
図１及び図３を参照すると、本実施の形態によるコイル３０の夫々は、銅，アルミニウム等の導電線からなり、絶縁体によって被覆されている。特に、本実施の形態によるコイル３０は、絶縁コーティングされた丸形銅線である。但し、コイル３０は、本実施の形態に限られない。例えば、コイル３０は、丸線や平角線であってもよいし、撚り線であってもよい。
【００１９】
コイル３０の夫々は、コイル本体３２と、コイル本体３２の両端から夫々延びる２つの端子部３８とを有している。
【００２０】
図１を参照すると、コモンモードチョークコイル１０は、使用時に、例えば回路基板（図示せず）上に置かれ、端子部３８は、例えば電源回路（図示せず）に接続される。本実施の形態のコイル３０の夫々において、２つの端子部３８は、コイル３０の両端部である。即ち、端子部３８の夫々は、コイル３０の一部である。但し、本発明は、これに限られない。例えば、端子部３８の夫々は、コイル３０とは別体の部材であってもよい。この場合、端子部３８の夫々は、コイル３０のコイル本体３２に半田付けや溶着等の方法で接続されていてもよい。
【００２１】
２つのコイル３０のコイル本体３２は、コア２０の円周方向において互いに離れるようにして、コア２０の表面２２に巻回されている。図１及び図４を参照すると、コア２０の表面２２は、コイル３０のコイル本体３２が夫々巻回された２つの巻回領域２４と、コイル３０のいずれも巻回されていない２つの非巻回領域２６とに分かれている。巻回領域２４及び非巻回領域２６の夫々は、表面２２の一部であり、コア２０の円周方向と直交する断面においてコア２０を切れ目なく囲む領域である。巻回領域２４と非巻回領域２６とは、コア２０の円周方向において（即ち、閉磁路ＣＭＰに沿って）交互に並んでいる。換言すれば、非巻回領域２６の夫々は、コア２０の円周方向において、２つの巻回領域２４の間に位置している。
【００２２】
図１を参照すると、本実施の形態において、巻回領域２４と非巻回領域２６とは、コア２０の円周方向に沿って連続しており、巻回領域２４と非巻回領域２６との間に明瞭な境界部は設けられていない。但し、本発明は、これに限られない。例えば、巻回領域２４と非巻回領域２６との間に、絶縁体からなる突起等の境界部を設けてもよい。
【００２３】
２つのコイル３０のコイル本体３２は、コア２０の円周方向において互いに離れた２つの巻回領域２４に夫々巻回されている。この結果、２つのコイル３０は、１つのコア２０（即ち、１つの閉磁路ＣＭＰ）を共有している。換言すれば、コモンモードチョークコイル１０は、１つの閉磁路ＣＭＰを共有する２つのコイル３０を備えている。このように構成されたコモンモードチョークコイル１０は、コモンモードのノイズを除去するためのチョークコイルとして使用可能である。例えば、コモンモードチョークコイル１０は、太いコイル３０を備えることで、電源回路（図示せず）等の大電流に乗ったコモンモードのノイズを効果的に除去できる。
【００２４】
詳しくは、図４を参照すると、２つのコイル３０にノーマルモードの電流が流れる際、電流に乗ったコモンモードのノイズに起因して、２つのコイル３０に夫々対応する２つの磁束ＦＣが生じる。２つの磁束ＦＣは、閉磁路ＣＭＰに沿って同じ方向を向いている。コモンモードチョークコイル１０は、この２つの磁束ＦＣによる所定のコモンモードインダクタンス（以下、「インダクタンスのコモンモード成分Ｌｃ」又は単に「コモンモード成分Ｌｃ」という）を有し、これによりコモンモードのノイズを除去できる。
【００２５】
本実施の形態において、２つの巻回領域２４は、コア２０の円周方向において互いに同じサイズを有しており、且つ、中心孔２０２を挟んでコア２０の反対側に夫々配置されている。従って、２つの非巻回領域２６は、コア２０の円周方向において互いに同じサイズを有している。但し、本発明は、これに限られない。例えば、２つの非巻回領域２６は、コア２０の円周方向において互いに多少異なるサイズを有していてもよい。換言すれば、２つの巻回領域２４は、コア２０の円周方向における一方の端において互いに近づくように配置されていてもよい。
【００２６】
図１及び図３を参照すると、本実施の形態において、コイル本体３２の夫々は、対応する巻回領域２４に約６ターン巻回されている。但し、本発明は、これに限られない。コイル本体３２の夫々は、コモンモードチョークコイル１０の用途に応じて必要なターン数だけ巻回されていればよい。
【００２７】
図１及び図２を参照すると、本実施の形態による２つの導体カバー４０は、互いに同じ形状を有している。導体カバー４０の夫々は、１枚のアルミニウム板から、孔や隙間のない形状に形成されている。但し、本発明はこれに限られない。例えば、導体カバー４０の夫々は、磁性を全く又は殆ど有さない導電体である限り、どのような材料から形成してもよい。導体カバー４０の夫々は、孔や隙間なく形成されている限り、複数の部材を組み合わせて形成してもよい。また、２つの導体カバー４０は、互いに異なる形状を有していてもよい。但し、部品の種類を削減するという観点から、２つの導体カバー４０は、互いに同じ形状を有していることが好ましい。
【００２８】
図２及び図３に示されるように、導体カバー４０の夫々は、上板４２と、下板４４と、側板４６とを有している。上板４２及び下板４４の夫々は、直交平面（ＸＹ平面）と平行な平板形状を有している。側板４６は、ＸＹ平面において、コア２０の外周面２２６に対応した円弧形状を有しており、上板４２と下板４４とを上下に連結している。
【００２９】
導体カバー４０の夫々は、コア２０の表面２２に取り付けられている。表面２２は、導体カバー４０を夫々取り付けるための２つの取付領域２８を有している。即ち、２つの導体カバー４０は、コア２０の表面２２のうちの２つの取付領域２８に夫々取り付けられている。取付領域２８の夫々は、表面２２の一部であり、コア２０の円周方向と直交する断面においてコア２０を切れ目なく囲む領域である。より具体的には、取付領域２８の夫々は、上面２２２、下面２２４、外周面２２６及び内周面２２８を含む領域であり、コア２０の円周方向において連続して延びている。
【００３０】
本実施の形態において、コア２０の表面２２において、取付領域２８と取付領域２８以外の領域との間に明瞭な境界部は設けられていない。但し、本発明は、これに限られない。例えば、取付領域２８と取付領域２８以外の領域との間に、絶縁体からなる突起等の境界部を設けてもよい。
【００３１】
図１から図３までを参照すると、２つの取付領域２８は、２つの非巻回領域２６に夫々対応している。非巻回領域２６の夫々は、中間部２６２を有している。中間部２６２は、非巻回領域２６の夫々において、コア２０の円周方向において（即ち、閉磁路ＣＭＰに沿って）中間に位置する部位である。中間部２６２の夫々は、表面２２の一部であり、コア２０の円周方向と直交する断面においてコア２０を切れ目なく囲む領域である。取付領域２８の夫々は、対応する非巻回領域２６の中間部２６２全体を含んでいる。
【００３２】
導体カバー４０は、コア２０の径方向外側から取付領域２８に夫々取り付けられている。このように取り付けられた導体カバー４０の夫々は、対応する非巻回領域２６の中間部２６２を、内周面２２８を除いて完全に覆っている。換言すれば、非巻回領域２６の夫々において、中間部２６２は、内周面２２８を除き、導体カバー４０のいずれかによって完全に覆われている。詳しくは、中間部２６２の夫々において、上面２２２、下面２２４及び外周面２２６は、導体カバー４０のいずれかによって完全に覆われている。一方、コア２０の内周面２２８には、導体カバー４０のいずれにも覆われていない開放領域２３０が形成されている。開放領域２３０は、コア２０の円周方向において（即ち、閉磁路ＣＭＰに沿って）内周面２２８全体に亘って切れ目なく延びている。
【００３３】
図４を参照すると、コモンモードチョークコイル１０の２つのコイル３０にノーマルモードの電流が流れる際、前述した２つの磁束ＦＣに加えて、２つのコイル３０に夫々対応する２つの磁束ＦＮが生じる。この２つの磁束ＦＮは、閉磁路ＣＭＰに沿って互いに反対の方向を向いており、理論的には互いに相殺される。但し、実際には、製造誤差によるコア２０の不均一な形状、コイル３０の巻回位置のずれ、電流の位相のずれなどの様々な要因に起因して、主として非巻回領域２６の中間部２６２において漏れ磁束が生じる。コモンモードチョークコイル１０は、この漏れ磁束による所定のノーマルモードインダクタンス（以下、「インダクタンスのノーマルモード成分Ｌｎ」又は単に「ノーマルモード成分Ｌｎ」という）を有する。
【００３４】
一般的に、漏れ磁束は、コモンモードチョークコイル１０の近傍の外部素子（図示せず）に対して、ノイズを伝搬させたり振動させるなどの好ましくない影響を及ぼす。また、例えば、コモンモードチョークコイル１０が通信回路（図示せず）に使用される場合、コイル３０を流れるノーマルモードの信号を減衰させる。更に、ノーマルモード成分Ｌｎによってコア２０が磁気飽和し易くなる。
【００３５】
図１を参照すると、本実施の形態によれば、漏れ磁束が最も生じやすい中間部２６２は、内周面２２８を除き、導体カバー４０のいずれかによって完全に覆われている。加えて、内周面２２８には、導体カバー４０のいずれにも覆われていない開放領域２３０が形成されており、開放領域２３０は、閉磁路ＣＭＰに沿って内周面２２８全体に亘って延びている。この構造により、漏れ磁束による外部素子（図示せず）への影響を抑えることができる。更に、コア２０の表面２２が磁性体ではなく導体カバー４０で覆われているため、漏れ磁束の量の増大を防止でき、これによりノーマルモード成分Ｌｎを小さく保てる。
【００３６】
図３を参照すると、導体カバー４０の夫々には、コア２０の円周方向（閉磁路ＣＭＰ）と直交する平面において、隙間が形成されている。即ち、導体カバー４０の夫々は、内周面２２８において繋がっておらず、ショートリングを形成していない。このように取り付けられた導体カバー４０は、磁束ＦＣ（図４参照）に殆ど影響を与えない。このため、コモンモード成分Ｌｃの減衰を防止できる。更に、導体カバー４０は、コア２０に生じた熱を放熱する放熱板としても機能する。
【００３７】
図１を参照すると、本実施の形態によれば、取付領域２８の夫々は、対応する非巻回領域２６の略全体に亘っている。従って、非巻回領域２６の夫々における上面２２２、下面２２４及び外周面２２６は、巻回領域２４と隣接する境界部を除く全体に亘って、導体カバー４０のいずれかによって完全に覆われている。詳しくは、図２を参照すると、導体カバー４０の夫々において、上板４２、下板４４及び側板４６は、対応する取付領域２８の上面２２２、下面２２４及び外周面２２６を、夫々隙間なく覆っている。この構造により、漏れ磁束による外部素子（図示せず）への影響を、より確実に抑えることができる。
【００３８】
本実施の形態によれば、コア２０の非巻回領域２６の夫々において、上面２２２、下面２２４及び外周面２２６の一部（巻回領域２４と隣接する境界部）は、導体カバー４０のいずれにも覆われていない。但し、本発明は、これに限られない。例えば、導体カバー４０の夫々は、対応する非巻回領域２６の上面２２２、下面２２４及び外周面２２６を完全に覆っていてもよい。この構造により、漏れ磁束による外部素子（図示せず）への影響を、更に確実に抑えることができる。
【００３９】
本実施の形態によれば、コア２０の巻回領域２４は、導体カバー４０のいずれにも覆われていない。但し、本発明は、これに限られない。例えば、導体カバー４０の夫々は、巻回領域２４の上面２２２、下面２２４及び外周面２２６を部分的に覆っていてもよい。この場合、コイル３０のコイル本体３２は、部分的に導体カバー４０の上から巻回領域２４に巻回されていてもよい。但し、コモンモードチョークコイル１０のサイズの増大を防ぐという観点から、導体カバー４０をコイル３０と重ならないよう配置することが好ましい。即ち、非巻回領域２６のみを導体カバー４０によって覆うことが好ましい。
【００４０】
本実施の形態によれば、導体カバー４０は、コア２０の内周面２２８を覆う部位を有しておらず、内周面２２８は、導体カバー４０のいずれの部位によっても覆われていない。従って、内周面２２８全体が、開放領域２３０である。但し、本発明は、これに限られない。例えば、導体カバー４０は、内周面２２８を部分的に覆っていてもよい。
【００４１】
本実施の形態によるコモンモードチョークコイル１０は、既に説明した変形例に加えて、更に様々に変形可能である。以下、コモンモードチョークコイル１０の４つの変形例について図５から図１１までを参照して説明する。以下のいずれの変形例によっても、漏れ磁束による外部素子（図示せず）への影響を抑えつつ、漏れ磁束の量の増大を防止できる。加えて、コモンモード成分Ｌｃの減衰を防ぎつつ、ノーマルモード成分Ｌｎを小さく保てる。
【００４２】
（第１変形例）
図５及び図６を参照すると、第１変形例によるコモンモードチョークコイル１０Ａは、コモンモードチョークコイル１０（図１参照）と同じコア２０及び２つのコイル３０を備えている一方、コモンモードチョークコイル１０の２つの導体カバー４０（図１参照）と異なる２つの導体カバー４０Ａを備えている。
【００４３】
図６に示されるように、２つの導体カバー４０Ａは、互いに同じ形状を有している。導体カバー４０Ａの夫々は、１枚のアルミニウム板から、隙間なく連続した形状に形成されている。
【００４４】
導体カバー４０Ａの夫々は、主板４２Ａと、外周板４６Ａと、内周板４８Ａとを有している。主板４２Ａは、直交平面（ＸＹ平面）と平行な平板形状を有しており、且つ、ＸＹ平面において円環形状を有している。主板４２Ａの直径は、コア２０の直径よりも大きい。主板４２Ａの中心には、孔部４２２Ａが形成されている。孔部４２２Ａは、ＸＹ平面において円形状を有しており、Ｚ方向において主板４２Ａを貫通している。孔部４２２Ａの直径は、コア２０の中心孔２０２の直径よりも小さい。外周板４６Ａは、主板４２Ａの外周全体から、Ｚ方向に突出しており、内周板４８Ａは、主板４２Ａの内周全体から、Ｚ方向に突出している。外周板４６ＡのＺ方向におけるサイズは、コア２０の外周面２２６のＺ方向におけるサイズの約半分である。内周板４８ＡのＺ方向におけるサイズは、コア２０の内周面２２８のＺ方向におけるサイズの半分よりも小さい。
【００４５】
２つの導体カバー４０Ａは、Ｚ方向におけるコア２０の表面２２の上下に夫々取り付けられている。表面２２は、導体カバー４０Ａを夫々取り付けるための２つの取付領域２８Ａを有している。即ち、２つの導体カバー４０Ａは、コア２０の表面２２のうちの２つの取付領域２８Ａに夫々取り付けられている。取付領域２８Ａの夫々は、表面２２の一部である。詳しくは、取付領域２８Ａの一方は、表面２２の上半分であり、上面２２２全体、外周面２２６の上部全体及び内周面２２８の上部全体を含む連続した領域である。取付領域２８Ａの一方は、表面２２の下半分であり、下面２２４全体、外周面２２６の下部全体及び内周面２２８の下部全体を含む連続した領域である。即ち、表面２２は、２つの取付領域２８Ａに分かれている。
【００４６】
図５及び図６を参照すると、２つの導体カバー４０Ａは、２つの非巻回領域２６の中間部２６２（図６参照）を、内周面２２８を除いて完全に覆うようにして、表面２２に取り付けられている。換言すれば、非巻回領域２６の夫々において、中間部２６２は、内周面２２８を除き、導体カバー４０Ａのいずれかによって完全に覆われている。
【００４７】
２つの導体カバー４０Ａは、コア２０の上方及び下方から取付領域２８Ａに夫々取り付けられている。このように取り付けられた２つの導体カバー４０Ａの主板４２Ａは、巻回領域２４及び非巻回領域２６のいずれにおいても、コア２０の上面２２２及び下面２２４全体を隙間なく覆っている。加えて、２つの導体カバー４０Ａの外周板４６Ａは、巻回領域２４及び非巻回領域２６のいずれにおいても、コア２０の外周面２２６全体を隙間なく覆っている。一方、２つの導体カバー４０Ａの内周板４８Ａは、コア２０の内周面２２８を部分的に覆っており、内周面２２８には、導体カバー４０Ａのいずれにも覆われていない開放領域２３０Ａが形成されている。開放領域２３０Ａは、コア２０の円周方向において（即ち、閉磁路ＣＭＰに沿って）内周面２２８全体に亘って切れ目なく延びている。
【００４８】
本変形例によれば、コア２０の内周面２２８のうちの上端部及び下端部が２つの導体カバー４０Ａによって完全に覆われており、開放領域２３０Ａは、内周面２２８のうちのＺ方向における中間部分のみに形成されている。この構造により、漏れ磁束による外部素子（図示せず）への影響を、より確実に抑えることができる。
【００４９】
（第２変形例）
図７を参照すると、第２変形例によるコモンモードチョークコイル１０Ｂは、コモンモードチョークコイル１０（図１参照）と同じ２つのコイル３０を備えている一方、コモンモードチョークコイル１０のコア２０（図１参照）と異なるコア２０Ｂと、２つの導体カバー４０（図１参照）と異なる２つの導体カバー４０Ｂとを備えている。
【００５０】
コア２０Ｂは、コア２０（図１参照）と同様に軟磁性材料からなり、直交平面（ＸＹ平面）においてギャップのない閉じた形状を有している。但し、コア２０Ｂは、コア２０と異なる形状を有している。より具体的には、コア２０Ｂは、ＸＹ平面において、矩形形状を有しており、且つ、コア２０ＢをＺ方向に貫通する中心孔２０２Ｂを有している。中心孔２０２Ｂは、ＸＹ平面において、矩形形状を有している。
【００５１】
図７及び図１０を参照すると、コア２０Ｂは、２つの第１角柱部２０４Ｂと、２つの第２角柱部２０６Ｂとを有している。２つの第１角柱部２０４Ｂは、横方向（Ｙ方向）に沿って互いに平行に直線状に延びている。２つの第２角柱部２０６Ｂは、前後方向（Ｘ方向）に沿って互いに平行に直線状に延びている。第１角柱部２０４Ｂの一方は、２つの第２角柱部２０６Ｂの前端部（＋Ｘ側の端部）をＹ方向に連結しており、第１角柱部２０４Ｂの他方は、２つの第２角柱部２０６Ｂの後端部（−Ｘ側の端部）をＹ方向に連結している。
【００５２】
図８を参照すると、コア２０Ｂは、第１角柱部２０４Ｂ及び第２角柱部２０６Ｂからなる４辺を有する矩形のフレーム形状を有しており、ＸＹ平面において閉磁路ＣＭＰＢを構成している。閉磁路ＣＭＰＢは、ＸＹ平面において閉じた矩形を描くようにして、コア２０Ｂの４辺に沿って延びている。
【００５３】
図７を参照すると、コア２０Ｂの表面２２Ｂは、Ｚ方向における上面２２２Ｂ及び下面２２４Ｂと、直交平面（ＸＹ平面）においてコア２０Ｂの外周に位置する外周面２２６Ｂと、ＸＹ平面においてコア２０Ｂの内周に位置する内周面２２８Ｂとを含んでいる。上面２２２Ｂ及び下面２２４Ｂの夫々は、ＸＹ平面と平行な平面である。外周面２２６Ｂは、第１角柱部２０４Ｂ及び第２角柱部２０６Ｂの外側面からなる。内周面２２８Ｂは、第１角柱部２０４Ｂ及び第２角柱部２０６Ｂの内側面からなる。
【００５４】
図７を参照すると、２つのコイル３０のコイル本体３２は、コア２０Ｂの２つの第１角柱部２０４Ｂに夫々巻回されている。図８を併せて参照すると、コア２０Ｂの表面２２Ｂは、コイル３０のコイル本体３２が夫々巻回された２つの巻回領域２４Ｂと、コイル３０のいずれも巻回されていない２つの非巻回領域２６Ｂとに分かれている。巻回領域２４Ｂは、第１角柱部２０４Ｂにおける表面２２Ｂであり、非巻回領域２６Ｂは、第２角柱部２０６Ｂにおける表面２２Ｂである。巻回領域２４Ｂと非巻回領域２６Ｂとは、閉磁路ＣＭＰＢに沿って交互に並んでいる。２つの巻回領域２４Ｂは、Ｙ方向に沿って互いに平行に直線状に延びており、２つの非巻回領域２６Ｂは、Ｘ方向に沿って互いに平行に直線状に延びている。
【００５５】
図７及び図１０を参照すると、２つの導体カバー４０Ｂは、互いに同じ形状を有している。導体カバー４０Ｂの夫々は、１枚のアルミニウム板から孔や隙間のない矩形の箱形状に形成されている。導体カバー４０Ｂの夫々の箱の内部には、第２角柱部２０６Ｂと略同一の形状及びサイズの空間が形成されている。導体カバー４０Ｂの夫々は、ＸＺ平面について鏡対称に配置され、Ｙ方向における両側からコア２０Ｂの表面２２Ｂに取り付けられている。表面２２Ｂは、導体カバー４０Ｂを夫々取り付けるための２つの取付領域２８Ｂを有している。取付領域２８Ｂの夫々は、表面２２Ｂの一部であり、上面２２２Ｂ、下面２２４Ｂ、外周面２２６Ｂ及び内周面２２８Ｂを含む連続した領域である。
【００５６】
図７及び図８を参照すると、２つの取付領域２８Ｂは、２つの非巻回領域２６Ｂに夫々対応しており且つ一致している。非巻回領域２６Ｂの夫々は、中間部２６２Ｂを有している。中間部２６２Ｂは、非巻回領域２６Ｂの夫々において、閉磁路ＣＭＰＢに沿って中間に位置する部位である。即ち、中間部２６２Ｂの夫々は、表面２２Ｂの一部であり、閉磁路ＣＭＰＢと直交する断面においてコア２０Ｂを切れ目なく囲む領域である。取付領域２８Ｂは、対応する非巻回領域２６Ｂの中間部２６２Ｂ全体を含んでいる。導体カバー４０Ｂの夫々は、対応する非巻回領域２６Ｂの中間部２６２Ｂを、内周面２２８Ｂを除いて完全に覆っている。換言すれば、非巻回領域２６Ｂの夫々において、中間部２６２Ｂは、内周面２２８Ｂを除き、導体カバー４０Ｂのいずれかによって完全に覆われている。
【００５７】
導体カバー４０Ｂの夫々は、取付領域２８Ｂ（非巻回領域２６Ｂ）における上面２２２Ｂと、下面２２４Ｂと、外周面２２６Ｂとを隙間なく覆っている。一方、導体カバー４０Ｂの夫々は、内周面２２８Ｂを覆う部位を有していない。このため、コア２０Ｂの内周面２２８Ｂには、導体カバー４０Ｂのいずれにも覆われていない開放領域２３０Ｂが形成されている。開放領域２３０Ｂは、閉磁路ＣＭＰＢに沿って内周面２２８Ｂ全体に亘って延びている。
【００５８】
本変形例のコア２０Ｂは、矩形フレーム形状を有しているため、矩形箱形状の２つの導体カバー４０Ｂによって、２つの非巻回領域２６Ｂを完全に覆うことができる。導体カバー４０Ｂは、１枚のアルミニウム板を折り曲げることで容易に作製できる。本変形例によれば、コモンモードチョークコイル１０（図１参照）と同様な効果を得つつ、コモンモードチョークコイル１０Ｂの製造コストを低減できる。
【００５９】
（第３変形例）
図９を参照すると、第３変形例によるコモンモードチョークコイル１０Ｃは、コモンモードチョークコイル１０Ｂ（図７参照）と同じコア２０Ｂ、２つのコイル３０及び２つの導体カバー４０Ｂを備えており、更に樹脂等の絶縁体からなる２つの絶縁ケース５０Ｃを備えている。
【００６０】
図１０を参照すると、２つの絶縁ケース５０Ｃは、互いに同じ形状を有している。絶縁ケース５０Ｃの夫々は、導体カバー４０Ｂが取り付けられた状態におけるコア２０Ｂに対応する形状を有している。より具体的には、絶縁ケース５０Ｃの夫々は、孔部５２Ｃと、収容部５４Ｃと、２つの位置決め部５６Ｃとを有している。孔部５２Ｃは、直交平面（ＸＹ平面）において矩形形状を有しており、絶縁ケース５０ＣをＺ方向に貫通している。収容部５４Ｃは、絶縁ケース５０Ｃの内部に形成された溝である。収容部５４Ｃは、コア２０Ｂに対応する形状を有している。より具体的には、収容部５４Ｃは、直交平面において矩形形状を有しており、孔部５２Ｃを囲んでいる。２つの位置決め部５６Ｃは、２つの導体カバー４０Ｂに夫々対応する凹みである。２つの位置決め部５６Ｃは、収容部５４ＣのＹ方向における両側に夫々設けられており、収容部５４Ｃの外側に向かって凹んでいる。
【００６１】
図９及び図１０を参照すると、２つの絶縁ケース５０Ｃは、導体カバー４０Ｂが取り付けられたコア２０Ｂの上下に夫々取り付けられている。２つの絶縁ケース５０Ｃは、導体カバー４０Ｂが取り付けられたコア２０Ｂ全体を覆っている。導体カバー４０Ｂの夫々において、上端部は、上側の絶縁ケース５０Ｃの対応する位置決め部５６Ｃに挿入されており、下端部は、下側の絶縁ケース５０Ｃの対応する位置決め部５６Ｃに挿入されている。即ち、２つの絶縁ケース５０Ｃの位置決め部５６Ｃは、２つの導体カバー４０Ｂをコア２０Ｂの表面２２Ｂに対して位置決めしている。換言すれば、導体カバー４０Ｂの夫々は、位置ずれしないように表面２２Ｂに取り付けられている。
【００６２】
図９を参照すると、本変形例において、２つのコイル３０は、絶縁ケース５０Ｃの上から２つの巻回領域２４Ｂ（図７参照）に夫々巻回されている。本変形例によれば、コモンモードチョークコイル１０Ｂ（図７参照）と同様な効果を得つつ、絶縁ケース５０Ｃによって、導体カバー４０Ｂをコア２０Ｂの所定位置に固定でき、且つ、コイル３０とコア２０Ｂとの間をより確実に絶縁できる。
【００６３】
前述したように、本変形例の２つの絶縁ケース５０Ｃは、互いに同じ形状を有している。但し、本発明は、これに限られない。例えば、図１０を参照すると、絶縁ケース５０Ｃの一方に爪状の係合部を設け、絶縁ケース５０Ｃの他方に孔状の被係合部を設けてもよい。この場合、係合部と被係合部との係合によって２つの絶縁ケース５０Ｃを確実に組み合わせることができる。また、絶縁ケース５０Ｃの一方を、導体カバー４０Ｂが取り付けられた状態のコア２０Ｂ全体に対応する形状に形成してもよい。この場合、絶縁ケース５０Ｃの他方は、蓋状に形成して、絶縁ケース５０Ｃの一方に取り付けてもよい。
【００６４】
（第４変形例）
図１１を参照すると、第４変形例によるコモンモードチョークコイル１０Ｄは、コモンモードチョークコイル１０（図１参照）と同じ２つのコイル３０（図１参照）を備えている一方、コモンモードチョークコイル１０と異なるコア２０Ｄと、２つの導体カバー４０Ｄとを備えている。
【００６５】
コア２０Ｄは、コア２０（図１参照）と同様に軟磁性材料からなり、直交平面（ＸＹ平面）においてギャップのない閉じた形状を有している。但し、コア２０Ｄは、コア２０と異なる形状を有している。より具体的には、コア２０Ｄは、ドーナツ形状を有している。即ち、コア２０Ｄは、コア２０ＤをＺ方向に貫通する中心孔２０２Ｄを有しており、コア２０Ｄの表面２２Ｄは、コア２０Ｄの円周方向と直交する平面において円形状を有している。コア２０Ｄは、ＸＹ平面において閉磁路ＣＭＰ（図１参照）を構成している。閉磁路ＣＭＰは、ＸＹ平面において閉じた円を描くようにして、コア２０Ｄの円周方向に沿って延びている。
【００６６】
コア２０Ｄの表面２２Ｄは、直交平面（ＸＹ平面）においてコア２０Ｄの外周に位置する外周面２２６Ｄと、ＸＹ平面においてコア２０Ｄの内周に位置する内周面２２８Ｄとを含んでいる一方、ＸＹ平面と平行な平面状の部位を含んでいない。即ち、コア２０Ｄは、コア２０（図１参照）の上面２２２（図１参照）及び下面２２４（図１参照）に対応する部位を有していない。
【００６７】
導体カバー４０Ｄの夫々は、導体カバー４０（図２参照）に似た構造を有しており、導体カバー４０と同様に機能する。但し、導体カバー４０Ｄの夫々は、導体カバー４０と多少異なる形状を有している。より具体的には、導体カバー４０Ｄは、コア２０Ｄの円周方向と直交する平面において、コア２０Ｄの外周面２２６Ｄに対応した半円形状を有している。導体カバー４０Ｄは、コア２０Ｄの径方向外側からコア２０Ｄの表面２２Ｄに夫々取り付けられており、表面２２Ｄのうちの外周面２２６Ｄを覆っている。図３及び図１１を参照すると、コモンモードチョークコイル１０Ｄは、コモンモードチョークコイル１０と同様な効果を奏する。
【００６８】
本発明は、上述の実施の形態や変形例に加えて、更に様々に応用可能である。例えば、コモンモードチョークコイルは、上述した部材に加えて、回路基板（図示せず）や端子台（図示せず）に取り付けるための部材等、様々な部材を有していてもよい。また、コモンモードチョークコイルの部材は、用途に応じて様々に配置すればよい。
【実施例】
【００６９】
以下、本発明について実施例及び比較例を使用して更に具体的に説明する。
【００７０】
（実施例１）
図１２から図１４までを参照すると、本発明の実施例１に係るコモンモードチョークコイル１０Ｍの部品として、フェライトからなるコア２０Ｍと、２本の導電線と、２つの導体カバー４０Ｍと、樹脂からなる２つの絶縁ケース５０Ｍとを用意した。
【００７１】
コア２０Ｍは、トロイダル形状を有していた。詳しくは、コア２０Ｍは、コア２０（図１参照）と同様な形状を有しており、３８ｍｍの外径（直径）と、１９ｍｍの内径（直径）と、１３ｍｍの厚さとを有していた。コア２０Ｍの比透磁率は３５００だった。導体カバー４０Ｍの夫々は、厚さ０．３ｍｍのアルミ板を、Ｕ字形状に折り曲げて、導体カバー４０（図１及び図２参照）と同様な形状に形成した。導電線の夫々は、直径１．５ｍｍの丸形銅線だった。絶縁ケース５０Ｍの夫々は、１ｍｍの厚みを有しており、且つ、上下に組み合わせた状態でコア２０Ｍ及び導体カバー４０Ｍからなる組立体全体を収容できるような形状及びサイズを有していた。
【００７２】
２つの導体カバー４０Ｍを、横方向（Ｙ方向）におけるコア２０Ｍの反対側に夫々位置するようにして、コア２０Ｍの表面に被せた。このとき、導体カバー４０Ｍの夫々は、コア２０Ｍの上面、下面、及び外周面に亘ってコア２０Ｍの表面を覆う一方、コア２０Ｍの内周面を全く覆っていなかった。また、コア２０Ｍの表面には、上面、下面、外周面及び内周面のいずれも導体カバー４０Ｍによって覆われていない領域（巻回領域）が２つ形成されていた。次に、導体カバー４０Ｍを被せたコア２０Ｍの上下に絶縁ケース５０Ｍを被せた。絶縁ケース５０Ｍの上から、２本の導電線を２つの巻回領域に夫々６ターンだけ巻回させて２つのコイル３０Ｍを夫々形成した。以上のように作製したコモンモードチョークコイル１０Ｍは、コモンモードチョークコイル１０（図１参照）のコア２０（図１参照）及び導体カバー４０（図１参照）に対して絶縁ケース５０Ｍを被せた後でコイル３０を巻回させた形状を有していた。
【００７３】
図１５から図１７までを参照すると、比較例１〜３として、コモンモードチョークコイル１０Ｖ，１０Ｗ，１０Ｘを夫々作製した。
【００７４】
図１４及び図１５を参照すると、比較例１のコモンモードチョークコイル１０Ｖは、従来のコモンモードチョークコイルであり、導体カバー４０Ｍを備えていないこと、及び、絶縁ケース５０Ｍと僅かに異なる形状の絶縁ケース５０Ｖを備えていることを除き、実施例１のコモンモードチョークコイル１０Ｍと同じ構造を有していた。換言すれば、比較例１のコモンモードチョークコイル１０Ｖは、実施例１のコモンモードチョークコイル１０Ｍから、導体カバー４０Ｍを外したものだった。
【００７５】
図１５及び図１６を参照すると、比較例２のコモンモードチョークコイル１０Ｗは、特許文献１のコモンモードチョークコイルであり、比較例１のコモンモードチョークコイル１０Ｖの上下に２つの磁性片６０Ｗを夫々配置して作製した。磁性片６０Ｗの夫々は、フェライトからなり、円板形状を有していた。詳しくは、磁性片６０Ｗの夫々は、３８ｍｍの直径と、３ｍｍの厚さとを有していた。磁性片６０Ｗの夫々の比透磁率は３５００だった。
【００７６】
図１４及び図１７を参照すると、比較例３のコモンモードチョークコイル１０Ｘは、導体カバー４０Ｍと異なる形状の導体カバー４０Ｘを備えていることを除き、実施例１のコモンモードチョークコイル１０Ｍと同じ構造を有していた。比較例３の２つの導体カバー４０Ｘは、コア２０Ｍの上下に夫々取り付けられており、コア２０Ｍの上面、下面及び内周面を完全に覆っていた。一方、コア２０Ｍの外周面のうち上下方向（Ｚ方向）における中間部は、導体カバー４０Ｘによって覆われていなかった。換言すれば、導体カバー４０Ｘによって覆われない開放領域がコア２０Ｍの外周面のみに設けられていた。
【００７７】
以上の実施例１及び比較例１〜３のインダクタ（コモンモードチョークコイル１０Ｍ，１０Ｖ，１０Ｗ，１０Ｘ）の夫々について、インダクタンスのコモンモード成分Ｌｃ及びノーマルモード成分Ｌｎの周波数特性を測定した。図１８及び図１９に周波数特性の測定結果を示す。
【００７８】
図１８を参照すると、実施例１及び比較例１〜３のコモンモード成分Ｌｃは、殆ど同じである。即ち、実施例１の導体カバー４０Ｍ（図１４参照）は、コモンモード成分Ｌｃを殆ど減衰させない。図１９を参照すると、比較例１のノーマルモード成分Ｌｎは、周波数によらず一定である。比較例２のノーマルモード成分Ｌｎは、比較例１のノーマルモード成分Ｌｎの約１．５倍であり、ノーマルモード成分Ｌｎが増大している。比較例３のノーマルモード成分Ｌｎは、比較例１のノーマルモード成分Ｌｎの約０．３５倍であり、ノーマルモード成分Ｌｎが減衰している。実施例１のノーマルモード成分Ｌｎは、比較例１のノーマルモード成分Ｌｎの約０．４倍であり、比較例３と同程度にノーマルモード成分Ｌｎが減衰している。
【００７９】
以上の実施例１及び比較例１〜３の夫々について、２つのインダクタを作製し、互いに隣接させた状態で、２つのインダクタの間の結合係数を測定した。図２０に示されるように、実施例１の２つのインダクタを、５ｍｍ離して、コア４０Ｍ（図１４参照）に生じたコモンモードの磁束ＦＮ（図４参照）が相殺される中間部２６２（図４参照）が対向するように配置した。比較例１〜３の夫々における２つのインダクタも、実施例１の２つのインダクタと同様に配置した。
【００８０】
図２１に結合係数の測定結果を示す。図２１に示されるように、比較例２の結合係数は、比較例１の結合係数の約０．５倍であり、結合係数が多少低減できている。一方、比較例３の結合係数は、比較例１の結合係数の約０．９５倍であり、結合係数が殆ど低減できていない。実施例１の結合係数は、比較例１の結合係数の約０．０６倍であり、結合係数が比較例１の１／１５程度まで大きく低減できている。
【００８１】
以上の測定結果から理解されるように、本発明に係る実施例１によれば、コモンモード成分Ｌｃを殆ど減衰させることなくノーマルモード成分Ｌｎを十分に減衰できる。また、結合係数を大きく低減でき、これにより漏れ磁束による外部素子（図示せず）への影響を抑えることができる。
【００８２】
（実施例２）
図２２から図２４までを参照すると、本発明の実施例２に係るコモンモードチョークコイル１０Ｎの部品として、フェライトからなるコア２０Ｎと、２本の導電線と、２つの導体カバー４０Ｎと、樹脂からなる２つの絶縁ケース５０Ｎとを用意した。
【００８３】
コア２０Ｎは、コア２０Ｂ（図１０参照）と同様な矩形のフレーム形状を有していた。詳しくは、コア２０Ｎは、３８ｍｍの幅と、２８ｍｍの長さと、６ｍｍの厚さとを有しており、コア２０Ｎには、２４ｍｍの幅と、１４ｍｍの長さとを有する中心孔が形成されていた。コア２０Ｎの比透磁率は３５００だった。導体カバー４０Ｎの夫々は、厚さ０．３ｍｍの十字形状のアルミ板を箱型に折り曲げて、導体カバー４０Ｂ（図１０参照）と同様な形状に形成した。導電線の夫々は、直径１．５ｍｍの丸形銅線だった。絶縁ケース５０Ｎの夫々は、１ｍｍの厚みを有しており、且つ、上下に組み合わせた状態でコア２０Ｎ及び導体カバー４０Ｎからなる組立体全体を収容できるような形状及びサイズを有していた。
【００８４】
２つの導体カバー４０Ｎを、横方向（Ｙ方向）におけるコア２０Ｎの反対側の２辺に夫々被せた。このとき、導体カバー４０Ｎの夫々は、コア２０Ｎの上面、下面、及び外周面に亘ってコア２０Ｎの２辺の表面を覆う一方、コア２０Ｎの内周面を全く覆っていなかった。また、コア２０Ｎの表面には、上面、下面、外周面及び内周面のいずれも導体カバー４０Ｎによって覆われていない領域（巻回領域）が２つ形成されていた。導体カバー４０Ｎを被せたコア２０Ｎの上下に絶縁ケース５０Ｎを被せた。絶縁ケース５０Ｎの上から、２本の導電線を２つの巻回領域に夫々１２ターンだけ巻回させて２つのコイル３０Ｎを夫々形成した。以上のように作製したコモンモードチョークコイル１０Ｎは、コモンモードチョークコイル１０Ｃ（図９参照）と同様な形状を有していた。
【００８５】
図２５及び図２６を参照すると、比較例４、５として、コモンモードチョークコイル１０Ｙ，１０Ｚを夫々作製した。
【００８６】
図２４及び図２５を参照すると、比較例４のコモンモードチョークコイル１０Ｙは、従来のコモンモードチョークコイルであり、導体カバー４０Ｎを備えていないことと、絶縁ケース５０Ｎと僅かに異なる形状の絶縁ケース５０Ｙを備えていることを除き、実施例２のコモンモードチョークコイル１０Ｎと同じ構造を有していた。換言すれば、比較例４のコモンモードチョークコイル１０Ｙは、実施例２のコモンモードチョークコイル１０Ｎから、導体カバー４０Ｎを外したものだった。
【００８７】
図２５及び図２６を参照すると、比較例５のコモンモードチョークコイル１０Ｚは、特許文献１のコモンモードチョークコイルであり、比較例４のコモンモードチョークコイル１０Ｙの上下に２つの磁性片６０Ｚを夫々配置して作製した。磁性片６０Ｚの夫々は、フェライトからなり、矩形形状を有していた。詳しくは、磁性片６０Ｚの夫々は、３８ｍｍの幅と、２８ｍｍの長さと、３ｍｍの厚さとを有していた。磁性片６０Ｚの夫々の比透磁率は３５００だった。
【００８８】
以上の実施例２及び比較例４、５のインダクタ（コモンモードチョークコイル１０Ｎ，１０Ｙ，１０Ｚ）の夫々について、ノーマルモードの交流電流を印加した状態におけるコモンモード成分Ｌｃを測定した。図２７にコモンモード成分Ｌｃの測定結果を示す。
【００８９】
図２７から理解されるように、比較例４における漏れ磁束を、比較例５のように磁性片６０Ｚを備えることで減衰させる場合、磁気飽和が起こり易い。一方、実施例２によれば、比較例４に比べても、磁気飽和が起こり難い。
【００９０】
図１２及び図２２を参照すると、一般に、実施例２のような矩形形状のコア２０Ｎを備えたコモンモードチョークコイル１０Ｎは、実施例１のようなトロイダル形状のコア２０Ｍを備えたコモンモードチョークコイル１０Ｍに比べて、ノーマルモード成分Ｌｎが大きくなり易い。ノーマルモード成分Ｌｎが大きいと、ノーマル電流による磁気飽和によってコモンモード成分Ｌｃが減衰する恐れがある。一方、本発明によれば、矩形形状のコア２０Ｎを備えたコモンモードチョークコイル１０Ｎに交流のノーマル電流やノイズによる大電流が流れた場合でも、磁気飽和し難い。
【符号の説明】
【００９１】
１０，１０Ａ，１０Ｂ，１０Ｃ，１０Ｄ    コモンモードチョークコイル
１０Ｍ，１０Ｎ                          （実施例の）コモンモードチョークコイル
１０Ｖ，１０Ｗ，１０Ｘ，１０Ｙ，１０Ｚ  （比較例の）コモンモードチョークコイル
２０，２０Ｂ，２０Ｄ                    コア
２０Ｍ，２０Ｎ                          （実施例及び比較例の）コア
２０２，２０２Ｂ，２０２Ｄ              中心孔
２０４Ｂ                                第１角柱部
２０６Ｂ                                第２角柱部
２２，２２Ｂ，２２Ｄ                    表面
２２２，２２２Ｂ                        上面
２２４，２２４Ｂ                        下面
２２６，２２６Ｂ，２２６Ｄ              外周面
２２８，２２８Ｂ，２２８Ｄ              内周面
２３０，２３０Ａ，２３０Ｂ              開放領域
２４，２４Ｂ                            巻回領域
２６，２６Ｂ                            非巻回領域
２６２，２６２Ｂ                        中間部
２８，２８Ａ，２８Ｂ                    取付領域
３０                                    コイル
３０Ｍ，３０Ｎ                          （実施例及び比較例の）コイル
３２                                    コイル本体
３８                                    端子部
４０，４０Ａ，４０Ｂ，４０Ｄ            導体カバー
４０Ｍ，４０Ｎ                          （実施例の）導体カバー
４０Ｘ                                  （比較例の）導体カバー
４２                                    上板
４２Ａ                                  主板
４２２Ａ                                孔部
４４                                    下板
４６                                    側板
４６Ａ                                  外周板
４８Ａ                                  内周板
５０Ｃ                                  絶縁ケース
５０Ｍ，５０Ｎ                          （実施例の）絶縁ケース
５０Ｖ，５０Ｘ，５０Ｙ                  （比較例の）絶縁ケース
５２Ｃ                                  孔部
５４Ｃ                                  収容部
５６Ｃ                                  位置決め部
６０Ｗ，６０Ｚ                          （比較例の）磁性片
ＣＭＰ，ＣＭＰＢ                        閉磁路
ＦＣ，ＦＮ                              磁束
【図１】
2018198270.tif 000003
【図２】
2018198270.tif 000004
【図３】
2018198270.tif 000005
【図４】
2018198270.tif 000006
【図５】
2018198270.tif 000007
【図６】
2018198270.tif 000008
【図７】
2018198270.tif 000009
【図８】
2018198270.tif 000010
【図９】
2018198270.tif 000011
【図１０】
2018198270.tif 000012
【図１１】
2018198270.tif 000013
【図１２】
2018198270.tif 000014
【図１３】
2018198270.tif 000015
【図１４】
2018198270.tif 000016
【図１５】
2018198270.tif 000017
【図１６】
2018198270.tif 000018
【図１７】
2018198270.tif 000019
【図１８】
2018198270.tif 000020
【図１９】
2018198270.tif 000021
【図２０】
2018198270.tif 000022
【図２１】
2018198270.tif 000023
【図２２】
2018198270.tif 000024
【図２３】
2018198270.tif 000025
【図２４】
2018198270.tif 000026
【図２５】
2018198270.tif 000027
【図２６】
2018198270.tif 000028
【図２７】
2018198270.tif 000029